(57)【特許請求の範囲】
【請求項１】
本体と、該本体の上面の背面側において左右方向両端に設けられた支持部に取り付けられ、該上面との間に空間を形成した状態で該本体よりも上方に設けられ、上記本体内の電装基板と電線により接続される上部装置とを備え、
上記本体の上記上面には、上記電線の挿入口が形成される一方、
上記空間には、上記本体および上部装置の背面側に臨んで開口すると共に該開口側の端部が外部に露出し、該開口から上記挿入口へ上記電線を導くダクトが形成され、
上記ダクトは、上記本体内の熱気を上記本体および上部装置の背面側へ排出するように構成されている、画像形成装置。
【請求項２】
請求項１記載の画像形成装置において、
上記ダクトは、左右両側及び上側の三方向が囲まれた断面視コ字状に形成されているとともに下側が上記本体の上面により閉塞されている、画像形成装置。
【請求項３】
請求項１または２に記載の画像形成装置において、
上記ダクトは、上記本体および上部装置の幅方向における中央に位置している、画像形成装置。
【請求項４】
請求項１または２に記載の画像形成装置において、
上記ダクトは、上記上部装置が上記本体に支持される支持部の近傍に形成されている、画像形成装置。
【請求項５】
請求項１乃至４のいずれか１項に記載の画像形成装置において、
上記上部装置は、読取装置または原稿搬送装置である、画像形成装置。
【発明の詳細な説明】
【技術分野】
【０００１】
本発明は、画像形成装置に関する。
【背景技術】
【０００２】
例えば特許文献１に開示されているように、本体の上方に読取装置が設けられた画像形成装置が知られている。この種の画像形成装置では、読取装置と本体内の電装基板とが電線によって接続されている。
【先行技術文献】
【特許文献】
【０００３】
【特許文献１】特開２０００−１３１９０７号公報
【発明の概要】
【発明が解決しようとする課題】
【０００４】
ところで、読取装置と電装基板とに接続される電線は、ユーザーが引っ掛けて断線しないように、また見栄えを損なわないように、できるだけ外部に露出しないよう配線するのが好ましい。そうすると、本体の上面に開口を形成し、読取装置から電線を読取装置と本体との間を通して上記開口に挿入させる配線形態が好ましい。ところが、この配線形態では、本体の上面に形成した開口から塵埃等の異物が混入し、画像形成に影響を及ぼす虞があるという問題があった。
【０００５】
本発明は、かかる点に鑑みてなされたものであり、その目的は、本体の上面に電線の挿入口が形成された画像形成装置において、電線の挿入口から塵埃等の異物が混入するのを防止することにある。
【課題を解決するための手段】
【０００６】
本発明に係る画像形成装置は、本体と、該本体の上面の背面側において左右方向両端に設けられた支持部に取り付けられ、該上面との間に空間を形成した状態で該本体よりも上方に設けられ、上記本体内の電装基板と電線により接続される上部装置とを備え、上記本体の上記上面には、上記電線の挿入口が形成される一方、上記空間には、上記本体および上部装置の背面側に臨んで開口すると共に該開口側の端部が外部に露出し、該開口から上記挿入口へ上記電線を導くダクトが形成され、上記ダクトは、上記本体内の熱気を上記本体および上部装置の背面側へ排出するように構成されているものである。
【０００７】
上記の構成によれば、電線が読取装置から該読取装置と本体との間を通って挿入口へ挿入され本体内の電装基板に接続される。そして、本体と読取装置との間には、本体および読取装置の背面側から挿入口へ電線を導くダクトが形成されているので、挿入口の上方がダクトによって覆われる。これにより、異物が挿入口から本体内に混入するのを防止することが可能である。
【０００８】
また、上記の構成によれば、熱気は上昇する傾向にあるところ、挿入口が本体の上面に形成されているため、本体内で発生した熱気を効果的に挿入口から排出させることが可能である。しかも、挿入口から出た熱気をダクトによって本体および読取装置の背面側（即ち、画像形成装置の背面側）へ排出させることが可能である。つまり、本発明では、本体内の熱気を電線の挿入口およびダクトを利用して外部へ効果的に排出させることが可能である。そのため、ユーザーが熱気によって不快になるのを防止することができる。
【発明の効果】
【０００９】
以上説明したように、本発明によれば、電線の挿入口から異物が混入するのを防止しつつ、電線を外部にできるだけ露出させることなく配線することが可能である。
【図面の簡単な説明】
【００１０】
【図１】図１は、画像形成装置を概略的に示す断面図である。
【図２】図２は、画像形成装置を概略的に示す背面図である。
【発明を実施するための形態】
【００１１】
以下、本発明の実施形態を図面に基づいて詳細に説明する。尚、本発明は、以下の実施形態に限定されるものではない。
【００１２】
図１および図２に示すように、本実施形態の画像形成装置１は、例えば複合機であり、本体２と、該本体２の上方に設けられた上部装置である読取装置３とを備えている。上部装置としては、上記読取装置３に限らず、例えば上記特開２０００−１３１９０７号公報に記載の原稿搬送ユニット１４のような原稿搬送装置であってもよい。
【００１３】
本体２には、画像形成部４、定着部（図示省略）等が収容されている。さらに本体２には、画像形成部４や読取装置３等を制御する電装基板５が収容されている。また、本体２には、図示しないが、画像形成部４へ用紙を供給する給紙部や、画像形成部４で画像形成された用紙が定着部で処理された後に排出される排紙部が設けられている。読取装置３は、原稿等を読み取る装置である。
【００１４】
本体２の上面８には、背面側において支持部１０が設けられている（図２参照）。支持部１０は、本体２の左右方向両端に設けられている。読取装置３は、支持部１０に取り付けられており、支持部１０を支点として回動可能に構成されている（図１に示す矢印を参照）。
【００１５】
読取装置３と電装基板５との間には、駆動電力や制御信号を授受するための電線６が接続されている。本体２の上面８には、背面寄りに電線６の挿入口７が形成されている。読取装置３では、背面に電線６が接続されている。そして、電線６は、読取装置３から該読取装置３と本体２との間を通って挿入口７に挿入され本体２内の電装基板５に接続されている。つまり、読取装置３の背面から延びる電線６は、読取装置３と本体２との間に入り込ませて本体２の上面８から本体２内に挿入されている。
【００１６】
さらに、本体２と読取装置３との間には、背面側から挿入口７へ電線６を導くダクト９が形成されている。また、このダクト９等のカバーは、本体２内に生じた熱気を本体２および読取装置３の背面側へ排出するように構成されている。本体２内では、画像形成部４や電装基板５、定着部等の発熱によって熱気が生じる。
【００１７】
上記実施形態の構成によれば、本体２の上面８に電線６の挿入口７を形成し、電線６が読取装置３から該読取装置３と本体２との間を通って挿入口７へ挿入され電装基板５に接続される。そのため、電線６をできるだけ外部に露出しないよう配線することができる。これによって、ユーザーが引っ掛けて電線６が断線してしまうこと、見栄えが悪くなることを抑制することが可能である。
【００１８】
さらに、上記実施形態の構成によれば、本体２と読取装置３との間には背面側から挿入口７へ電線６を導くダクト９を形成しているため、挿入口７の上方をダクト９によって覆うことが可能である。これにより、塵埃等の異物が挿入口７から本体２内に混入するのを未然に防止することが可能になる。よって、上記実施形態では、電線６の挿入口７から異物が混入するのを防止しつつ、電線６を外部にできるだけ露出させることなく配線することが可能である。
【００１９】
さらに、上記実施形態の構成によれば、一般に熱気は上昇する傾向にあるところ、挿入口７が本体２の上面８に形成されているため、本体２内で発生した熱気を効果的に挿入口７から排出させることが可能である。
【００２０】
しかも、挿入口７から出た熱気をダクト９によって本体２および読取装置３の背面側（即ち、画像形成装置１の背面側）へ排出させることが可能である。具体的にダクト９は、三方向（上方、左側方、右側方）が囲まれた断面視コ字状に形成され、本体２および読取装置３の背面側へ臨んで開口しているため、確実に熱気を背面側へ排出させることが可能である。つまり、上記実施形態では、本体２内の熱気を電線６の挿入口７およびダクト９を利用して外部へ効果的に排出させることが可能である。そのため、ユーザーが熱気によって不快になるのを防止することができる。
【００２１】
また上記実施形態によれば、本体２および読取装置３の幅方向（左右方向）における中央にダクト９を形成しているため（図２参照）、電線６をユーザーからできるだけ遠い場所に位置させることが可能になる。これによって、ユーザーが電線６を引っ掛けてしまうことをより防止できるし、見栄えが悪くなることをより抑制できる。
【００２２】
また上記実施形態によれば、読取装置３が本体２に支持される支持部１０の近傍にダクト９を形成しているため、即ち読取装置３の回動軸の近傍にダクト９を形成しているため、電線６をダクト９に挿入しやすくなる。
【００２３】
なお、上記実施形態では、複合機を画像形成装置の一例として説明したが、これに限らず、例えばプリンター、読取装置または複写機等の他の画像形成装置としてもよい。
【産業上の利用可能性】
【００２４】
以上説明したように、本発明は、読取装置を備えた画像形成装置について有用である。
【符号の説明】
【００２５】
１        画像形成装置
２        本体
３        読取装置（上部装置）
５        電装基板
６        電線
７        挿入口
８        上面
９        ダクト
【図１】
0005981897.tif 000002
【図２】
0005981897.tif 000003